(57)【要約】      （修正有）【課題】ドアの滑らかな動きを可能にするスライドドア用懸架キャリッジを提供する。【解決手段】スライドドア用懸架キャリッジは、スライドドア３用の支持ハブ２と、支持ハブ２に支持され、スライド案内レール５にのせられるカップリング要素４とを有する。支持ハブ２は、ドアへの締結部２０お支持部２１を有する。締結部２０がもつ受け座２００は、ドアの厚さ方向の中心線と一致する第一基準面Ｐ１に垂直な第一基準軸Ｒ１を囲む。締結部２０は、第１基準軸Ｒ１を中心にして回転可能な放射状外部２０１と放射状内部２０２を有する。カップリング要素４は支持部２１に、支持部２１は放射状内部２０２に固定される。【選択図】図３
0003166953.tif 000002
【実用新案登録請求の範囲】
【請求項１】
スライドドア（３）を支持するための支持ハブ（２）と、前記支持ハブ（２）によって支持されスライドドア（３）をスライド可能にするためにスライド案内レール（５）にのせられるカップリング要素（４）とを有するスライドドア用懸架キャリッジ（１）であって、
前記支持ハブ（２）は、
前記スライドドア（３）に貫通挿入されており、スライドドア（３）の厚みのための受け座（２００）を形成する締結部（２０）と、
前記締結部（２０）と関連する支持部（２１）とを有し、
前記受け座（２００）は、第１基準軸（Ｒ１）を囲んでおり、しかも前記第１基準軸（Ｒ１）に対して垂直な第１基準面（Ｐ１）で前記第一基準軸（Ｒ１）に沿って半分に分割されており、前記第１基準面（Ｐ１）は、前記スライドドア用懸架キャリッジ（１）が前記スライドドア（３）に取り付けられたときに、前記スライドドア（３）の中央線と一致し、
前記カップリング要素（４）は、前記第１基準面（Ｐ１）から所定の距離を隔てて前記支持部（２１）により支持され、そして前記第１基準面（Ｐ１）と平行な面（Ｇ１）で保持され、
前記カップリング要素（４）は、前記第１基準面（Ｐ１）に垂直な軸の回りに回転可能に形成され、
前記カップリング要素（４）は、前記支持部（２１）と前記締結部（２０）に締結され、
前記締結部（２０）は、
前記スライドドアの厚みの前記受け座（２００）を有し、前記第１基準軸（Ｒ１）の周りの半径方向外側にある放射状外部（２０１）と、
前記第１基準軸（Ｒ１）の回りで回転可能に前記放射状外部（２０１）に結合され、前記第１基準軸（Ｒ１）の周りの前記放射状外部（２０１）よりも半径方向内側にある放射状内部（２０２）とを有し、        
前記支持部（２１）は、前記放射状内部（２０２）に固定され、前記放射状内部とともに前記第１基準軸（Ｒ１）の回りを回転することを特徴とするスライドドア用懸架キャリッジ（１）。
【請求項２】
前記放射状内部（２０２）、前記支持部（２１）および前記カップリング要素（４）は、組合されて筒状構造を形成し、前記第１基準軸（Ｒ１）に沿って前記スライドドア用懸架キャリッジ（１）の一方から他方へ横断することを特徴とする請求項１に記載のスライドドア用懸架キャリッジ（１）。
【請求項３】
前記筒状構造は、所定の内径を有することを特徴とする請求項２に記載のスライドドア用懸架キャリッジ（１）。
【請求項４】
前記スライドドア用懸架キャリッジ（１）は、前記筒状構造の貫通孔に挿入可能で、前記第１基準軸（Ｒ１）に沿って所定の場所で遮断することが可能な障害要素（６）を更に有することを特徴とする請求項１または２に記載のスライドドア用懸架キャリッジ（１）。
【請求項５】
前記障害要素（６）は、円盤状であり、前記筒状構造の前記貫通孔の内面にある接触面（７）と前記筒状構造の前記貫通孔の内面にある締め付け部（９）にネジ止めされるリングナット（８）との間の場所で保持されることを特徴とする請求項４に記載のスライドドア用懸架キャリッジ（１）。
【請求項６】
前記リングナット（８）は、前記スライドドア（３）に対する前記締結部（２０）の遠位側にある前記筒状構造の端部から前記筒状構造の前記貫通孔に挿入されることを特徴とする、請求項５に記載のスライドドア用懸架キャリッジ（１）。
【請求項７】
前記障害要素（６）は、少なくとも前記第１基準軸（Ｒ１）の方向から見た場合、少なくとも部分的に透明な部分を持つことを特徴とする請求項４から６のいずれかに記載のスライドドア用懸架キャリッジ（１）。
【請求項８】
前記障害要素（６）は、少なくとも前記第１基準軸（Ｒ１）の方向から見た場合、透明であることを特徴とする請求項７に記載のスライドドア用懸架キャリッジ（１）。
【請求項９】
前記障害要素（６）は、前記カップリング要素（４）の遠位側にある前記筒状構造の端部の面（６０）に、所定のデザインに係るグラフィック要素を有することを特徴とする請求項４から８のいずれかに記載のスライドドア用懸架キャリッジ（１）。
【請求項１０】
前記締結部（２０）の前記放射状外部（２０１）は、前記第１基準軸（Ｒ１）を含む全ての面において、前記スライドドア用懸架キャリッジ（１）の半径方向外側に向いており、しかも前記受け座（２００）と関連する開口側を持つＵ字状部を構成する部分を含むことを特徴とする請求項１から９のいずれかに記載のスライドドア用懸架キャリッジ（１）。
【請求項１１】
前記締結部（２０）の前記放射状外部（２０１）は、前記第１基準軸（Ｒ１）を含む全ての面において、前記スライドドア用懸架キャリッジ（１）の半径方向内側に向いた開口側を持つＵ字状部を有する部分を含み、前記放射状外部（２０１）に対する前記締結部（２０）の放射状内部（２０２）の回転を容易にする回転摩擦手段（１０）を包含するための受け座（２０３）が少なくとも形成されていることを特徴とする請求項１から１０のいずれかに記載のスライドドア用懸架キャリッジ（１）。
【請求項１２】
前記回転摩擦手段（１０）は、ベアリング（１００）を有することを特徴とする請求項１１に記載のスライドドア懸架キャリッジ（１）。
【請求項１３】
前記スライドドア用懸架キャリッジ（１）の半径方向内側に向いた開口側を持つ前記Ｕ字状部は、第１基準軸（Ｐ１）を跨って位置することを特徴とする請求項１１または１２に記載のスライドドア用懸架キャリッジ（１）。
【請求項１４】
前記締結部（２０）の前記放射状外部（２０１）は、前記第１基準軸（Ｒ１）に沿って、前記スライドドア（３）に前記スライドドア用懸架キャリッジ（１）を取り付けるための相互に着脱自在な二つの半部分（２０１ａ、２０１ｂ）を持ち、半部分（２０１ａ）は、前記カップリング要素（４）からの遠位側に位置し、他の半部分（２０１ｂ）は、前記カップリング要素（４）からの近位側に位置することを特徴とする請求項１から１３のいずれかに記載のスライドドア用懸架キャリッジ（１）。
【請求項１５】
前記スライドドア用懸架キャリッジ（１）は、前記締結部（２０）の前記放射状外部（２０１）の前記二つの半部分（２０１ａ、２０１ｂ）を互いに締結するための締め付けネジ（１１）を更に有することを特徴とする請求項１４に記載のスライドドア用懸架キャリッジ（１）。
【請求項１６】
前記締め付けネジ（１１）は、前記第１基準軸（Ｒ１）と平行な軸を持つことを特徴とする請求項１５に記載のスライドドア用懸架キャリッジ（１）。
【請求項１７】
少なくとも前記締め付けネジ（１１）は、前記カップリング要素（４）が位置する側の前記スライドドア用懸架キャリッジ（１）の側部にある締結部（２０）の放射状外部（２０１）から出ており、前記スライドドア用懸架キャリッジ（１）が取り付けられた場合に、前記カップリング要素（４）は前記スライド案内レール（５）に沿ってガイドピボットを形成することを特徴とする請求項１６に記載のスライドドア用懸架キャリッジ（１）。
【請求項１８】
前記締結部（２０）の前記放射状外部（２０１）は、前記スライドドア（３）の厚みの受け座（２００）が前記第１基準軸（Ｒ１）の周りを完全に囲むのを可能にして前記放射状外部（２０１）を構成する複数の扇状部（２０４）を有することを特徴とする請求項１から１７のいずれかに記載のスライドドア用懸架キャリッジ（１）。
【請求項１９】
前記カップリング要素（４）は、ホイール形状であり、前記スライド案内レール（５）にのせるための形状であるトレッド（４０）を有することを特徴とする請求項１から１８のいずれかに記載のスライドドア用懸架キャリッジ（１）。
【請求項２０】
前記締結部（２０）の前記放射状内部（２０２）および前記支持部（２１）は、一体に製造されることを特徴とする請求項１から１９のいずれかに記載のスライドドア用懸架キャリッジ（１）。
【請求項２１】
前記カップリング要素（４）は、ハブ上のホイールのようにして前記支持部（２１）に装着されることを特徴とする請求項２０に記載のスライドドア用懸架キャリッジ（１）。
【請求項２２】
前記カップリング要素（４）および前記支持部（２１）は、一体に製造されることを特徴とする請求項１から２１のいずれかに記載のスライドドア用懸架キャリッジ（１）。
【考案の詳細な説明】
【技術分野】
【０００１】
本考案は、スライドドア用懸架キャリッジに関する。
【背景技術】
【０００２】
スライドドア用懸架キャリッジは、通常、案内レールに沿ったドアの動きをスムーズにするために、対応するスライドガイドレールへの（ドア及び／又は家具及び／又は調度品の）スライド用懸架ドアに使用されている。
【０００３】
一般的に、懸架キャリッジは、ドア上部近傍に固定される支持部を有する。支持部は、キャリッジとスライドガイドレールとの間のカップリング要素を形成し、スライドガイドレール上に置かれて、ドアの流動的な動きを可能にする。
【０００４】
本考案は、軸（特にホイールの）が回転可能なカップリング要素を有するタイプの懸架キャリッジに関する。
【０００５】
先行技術は、軸の周りを回転可能なカップリング要素が提供されるタイプのスライドドア用の懸架キャリッジを有し、これらのキャリッジは、特にガラスで製造されるスライドドアに適用されるために開発されてきている。当然のことであるが、この型式のキャリッジは他の材料により製造されるスライドドアにも適用できる。
【０００６】
特に、先行技術におけるスライドドアの懸架キャリッジは、スライド案内レールに組み合わせるカップリングホイールを有し、カップリングホイールは支持ハブの端部に回転可能に結合される。カップリングホイールの回転は、カップリングホイールと支持ハブとの間に配置されたボールベアリングにより円滑化される。支持ハブはさらに、ドアを通る箇所を提示し、ドアの厚さのための受け座が得られる。支持ハブのドアを通る箇所は、ドアにキャリッジを締結するためのフランジ部を提示する。上記に提示したスライドドアの懸架キャリッジは、幾つかの欠点をもつ。
【０００７】
特に、ドアは、カップリングホイールが位置する平面から一定の距離に位置する垂直な面を持つ。支持ハブとカップリングホイールとの回転を滑らかにするボールベアリングは、ホイールとホイールが固定された支持ハブの端部との間に配置される。このため、カップリングホイールが位置する面に局在する。このため、ドアの重みは、トルク力を発生させベアリングを取り外そうとする。ドアの重みが大きい場合（例えば、スライドガラスドアが、住居や他の建物を隔てる場合）、このストレスは、ベアリングについて特に摩擦や疲労の問題を引き起こす。
【考案の概要】
【考案が解決しようとする課題】
【０００８】
本考案は、ドアの滑らかな動きを可能にするスライドドア用懸架キャリッジを提供することにより、キャリッジの回転部品上の摩耗やストレスといった問題を最小にすることで、上述の欠点を取り除くことを目的とする。
【０００９】
本考案の他の目的は、何らの追加の構造を要することなく、スライドドアを介して目視による部屋の確認を可能にする検査要素や所定の画像表示要素の何れも挿入可能にするスライドドアの懸架キャリッジを提供することである。
【課題を解決するための手段】
【００１０】
これらの目的および以下の説明によりさらに具体化される他の目的は、添付の独立請求項に記載された構造的・機能的特徴を備えるスライドドア用キャリッジや、添付の対応する従属項により特定される更なる実施例により達成される。
【図面の簡単な説明】
【００１１】
以下に、添付図面を参照して、本考案をより詳細に説明する。添付図面には、本考案の好適で非限定的な実施形態が図示されている。
【図１】図１は、本考案のキャリッジの正面図である。
【図２】図２は、図１のキャリッジをＡ−Ａ断面から見た断面図である。また、スライドドアの概略断面図を含む。
【図３】図３は、図１のキャリッジの変形例を同じく図１のＡ−Ａ断面から見た断面図であり、図１に表す図を右から左へ見たものの替わりに、左から右へ見た断面図である。また、図３は、スライド案内レールの一部の概略図を含む。
【図４】図４は、図１のキャリッジの概略正面図であり、ドアとスライド案内レールの両者を示す。
【図５】図５は、図１のキャリッジの概略背面図であり、ドアとスライド案内レールの両者を示す。
【００１２】
図面を参照すると、符号１はスライドドア用懸架キャリッジの全体を示している。スライドドア用の懸架キャリッジ１は、スライドドア３用の支持ハブ２と、支持ハブ２に支持されたカップリング要素４を有し、ドア３のスライドのためのスライド案内レール５上に置かれる。また、支持ハブ２は、ドア３への締結部２０と支持部２１を有する。
【００１３】
ドア３への締結部２０は、ドア３に挿通される。締結部２０は、ドア３の厚み用の受け座２００をもつ。ドア３の厚み用受け座２００は、第１基準軸Ｒ１を囲み、第１基準軸Ｒ１に対して垂直な第１基準面Ｐ１で、第１基準軸Ｒ１に沿って半分に分割される。第１基準面Ｐ１は、ドア３の上にキャリッジが取り付けられたときに、ドア３の厚み方向の中心線と一致する。
【００１４】
本明細書及び添付の請求項において「ドア３の厚み方向の中心線」とは、ドアの二つの主たる面の間の中央部に位置する面を参照している（言い換えれば、二つの主たる面は、ドアの巾と長さを決定し、ドアの厚み方向に対して垂直であり、通常は垂直位置にある）。
【００１５】
支持部２１は、締結部２０と関連する。
カップリング要素４は、第１基準軸Ｐ１から所定の距離を隔てて支持部２１により支持され、第１基準面Ｐ１と平行な面Ｇ１で保持されている。
【００１６】
カップリング要素４は、支持部２１に固定されている。
締結部２０は、第１基準軸Ｒ１を中心にして半径方向外側にある部分２０１と、第１基準軸Ｒ１を中心にして半径方向内側にある部分２０２を有する。
【００１７】
ドアの厚みの受け座２００は、放射状外部２０１上で形成される。放射状内部２０２は、放射状外部２０１に連結され、第１基準軸Ｒ１の周りで回転可能である。
【００１８】
支持部２１は、放射状内部２０２に直接固定され、これとともに第１基準軸Ｒ１の周りを回転する。したがって、カップリング要素４は、第１基準面Ｐ１と垂直な軸の周りに回転可能に形成される。特に、カップリング要素４は、第１基準軸Ｒ１の周りに回転可能に形成される。
【００１９】
この構成は、懸架キャリッジ１の固定部と回転部との間の結合の位置が、ドア３の厚みの中心位置（特にドアの厚みの内側）に位置することを可能にし、これにより、相互の回転を保証しおよび／または回転を容易にする手段の摩耗や動作不良を引き起こすストレスを最小にする。
【００２０】
締結部２０の半径方向外側にある部分２０１は、好ましくは第１基準軸Ｒ１を含む面でＵ字状部を有し、この開口側はキャリッジ１の半径方向内側に面している。このキャリッジ１の半径方向内側に向いた開口側を持つＵ字状部は、少なくとも、放射状外部２０１に対する放射状内部２０２の回転を促進する回転摩擦手段１０を含む受け座２０３を形成する。回転摩擦手段１０は、ベアリング１００（特に、ボールベアリング）を有する。
【００２１】
好ましくは、キャリッジ１の半径方向内側に向いた開口側を有する前記Ｕ字状部は、第１基準面Ｐ１を跨って位置する。
【００２２】
回転摩擦手段１０の受け座２０３は、締結部２０の放射状内部２０２の部分に形成されても良い。回転摩擦手段１０の受け座２０３はまた、支持部２１および／またはカップリング要素４自体の部分の組合せにより形成することも可能である。これは図２および図３に示されている。締結部２０の放射状外部２０１と異なる部分による回転摩擦手段１０の受け座２０３の形成は、第１基準軸Ｒ１を含む全ての面において、キャリッジ１の半径方向内側に向いた開口側を持つＵ字状部を有利に実現する。
【００２３】
放射状内部２０２、支持部２１およびカップリング要素４は、これらの組合せにより、第１基準軸Ｒ１に沿って、キャリッジ１の一方から他方へ横切る筒状構造を実現する。
【００２４】
筒状構造は、好ましくは所定の内径をもつ。形状部分を定義するように、内径は変形を含むことも可能である。筒状構造の内面は、成形や造形によって形成できる（例えば、図１、図２、図４、図５に示すごとく）。筒状構造は、懸架キャリッジ１内で一体化した貫通孔を可能にし、ドア３を貫通する。貫通孔は、種々の方法で有利に使用できる。不透明なドアの場合、例えば、ドア３により隔てられた一方の環境からもう一方の環境を検査する要素として、審美的要素を損なうドア内の追加要素を採用することなく使用できる。また一般的に、多様な用途のためのグラフィック要素を挿入するのにも使用できる（特に専らではないものの、審美的な種類で）。上記筒状構造の実現性は、互いに結合されたキャリッジの回転部が締結部２０の放射状外部２０１と放射状内部２０２とから成る本考案の懸架キャリッジ１の構造により確保される。
【００２５】
図３に例示するように、本考案のキャリッジ１は、筒状構造の貫通孔に挿入可能であり、第１基準軸Ｒ１に沿った所定の位置をブロックすることが可能な障害要素６を有する。
【００２６】
障害要素６は、ディスク形状であり、筒状構造の貫通孔の内面にある接触面７と筒状構造の貫通孔の内面のネジ部９にネジ止めされたリングナット８との間で保持される。リングナット８は、好ましくは、ドア３に対する締結部２０の遠位側にある筒状構造の端部から筒状構造の貫通孔に挿入される。
【００２７】
本明細書と添付の請求範囲において、本体又は要素を参照する際に使用される形容詞「透明」の意味は、本体又は要素を見通すことが可能で、観察する方向に沿って、本体又は要素の向こう側に位置する対象物の形状が明らかなことである（しかしながら、屈折現象等により歪んでみえることもある）。したがって本体又は要素はまた彩色が可能である（均一な必要はない）。
【００２８】
障害要素６は、少なくとも第１基準軸Ｒ１の方向から見た場合、少なくとも部分的に透明な部分を形成する。障害要素６は、少なくとも第１基準軸Ｒ１の方向から見た場合、透明であるのが有利である。
【００２９】
障害要素６は、カップリング要素４の遠位である筒状構造の端部に面した障害要素の面６０に所定の意匠に係るグラフィック要素を有する。
【００３０】
図面に示すごとく、締結部２０の放射状外部２０１は、第１基準軸Ｒ１を含む全ての面において、キャリッジ１の外側に向う放射状の開口側を持つＵ字状部を有し、受け座２００に対応する部分をもつ。
【００３１】
図面に示すごとく、締結部２０の放射状外部２０１は、有利には二つの半部分２０１ａ、２０１ｂにより実現され、これらは第１基準軸Ｒ１に沿って相互に着脱自在である。半部分２０１ａは、カップリング要素４からの遠位側に位置する。他の半部分２０１ｂは、カップリング要素４への近位側に位置する。締結部２０の放射状外部２０１の二つの半部分２０１ａ、２０１ｂにおける構造は、キャリッジ１をドア３に取り付けるのに使用される。特に、二つの半部分２０１ａ、２０１ｂにより、ドア３の貫通孔においてのキャリッジの組立が容易になる。図面に示すように、キャリッジ１は、締結部２０の放射状外部２０１の二つの半部分２０１ａ、２０１ｂを互いに締結する締め付けネジ１１を有利に有する。締め付けネジ１１は、第１基準軸Ｒ１に平行に取り付けられる。ドアの厚みの受け座２００の立体構造は、ドア３の厚みを把持し、締め付けネジ１１を配置するスペースを提供する締結部２０のフランジ部を実現するのを容易にする。
【００３２】
特に図３に示すように、少なくとも締め付けネジ１１は、カップリング要素４が位置する側のキャリッジ１の側部にある締結部２０の放射状外部２０１から出ており、キャリッジ１が設置された場合、カップリング要素４はスライド案内レール５内でガイドピボットを実現する。
【００３３】
締結部２０の放射状外部２０１は、放射状外部２０１を構成する複数の扇状部２０４を有し、ドア３の厚みの受け座２００が第１基準軸Ｒ１を完全に囲むのを可能にする。図５には、これらの二つが例示されている。
【００３４】
カップリング要素４は、ホイール形状であり、スライド案内レール５の上にのせるための形状であるトレッド４０を有する。カップリング要素４は、ハブ上のホイールと同じ方法で支持部２１の上に挿入される。カップリング要素４は、支持部２１とともに単体で製造できる。
【００３５】
締結部２０の放射状内部２０２および支持部２１は、有利に単体で製造される。
【００３６】
本考案は重要な利点を提供する。
【００３７】
何よりもまず、互いに回転するキャリッジのパーツ上の、ストレス応力を最小限に抑えることが可能である。ストレス応力は、時間の経過に伴い徐々に、キャリッジの安定性および／または機能性について障害になり得る。第二に、本考案は、美観を損なうドアの表面上での追加の構造を必要とすることなく、キャリッジと一体化した要素を実現する。
【００３８】
さらに、本考案の構造によって、ドアにキャリッジを適用することが容易に達成できる。
【００３９】
本考案は、本考案の特徴としての創作概念の範囲での多くの変更や改良ができる。
【００４０】
実際には、使用される全ての材料とこれらのサイズは、必要に応じて、あらゆるタイプが使用できる。
【図１】
0003166953.tif 000003
【図２】
0003166953.tif 000004
【図３】
0003166953.tif 000005
【図４】
0003166953.tif 000006
【図５】
0003166953.tif 000007